(57)【要約】  歯科インプラント１、及び歯科インプラント１に連結されるべきピース１１において、両方１、１１が歯科インプラント１への内部連結によって互いに連結されることができることを特徴とする。主として、この内部連結は非回転部分６、１６及び円筒形部分８、１８を有し、この非回転部分が１組の非回転構成要素２０、２０’の繰返しによって形成され、それらのそれぞれが１組の互いに接する円弧２１、２２、２３、２４、２５、２１’、２２’、２３’、２４’、２５’によって形成される。この非回転部分の構成により、知られる非回転構成より良い性能が得られることが可能になる。
2009501552.tif 000002
【特許請求の範囲】
【請求項１】
縦軸（５）に沿って形成され上面（７）によってその上部で終わらされるインプラント（１）において、
前記インプラント（１）が前記上面（７）から開く止まり穴（３）を備え、前記止まり穴（３）が非回転領域（６）と、非回転不要領域（８）と、ねじ領域（９）とを有し、
前記非回転領域（６）が、１組の非回転構成要素（２０）を有し、各非回転構成要素（２０）が互いに接しそれぞれの半径（Ｒ１、Ｒ２、Ｒ３）によって確定される１組の円弧（２１、２２、２３、２４、２５）を有し、前記縦軸（５）への前記非回転構成要素（２０）の最近点（２６）が前記非回転構成要素（２０）及び前記非回転領域（６）の最小直径（ｄ）を確定することを特徴とするインプラント（１）。
【請求項２】
前記非回転不要領域（８）が、円筒形領域（８）の直径が前記非回転領域（６）の前記最小直径（ｄ）より小さいか又は等しい状態で前記非回転領域（６）に内接させられる円筒形領域であることを特徴とする請求項１に記載のインプラント（１）。
【請求項３】
前記ねじ付き止まり穴（３）が円錐入口（４）を有することを特徴とする請求項１に記載のインプラント（１）。
【請求項４】
前記円錐入口（４）が前記縦軸（５）に対して３０°と６０°の間のこう配を与えることを特徴とする請求項３に記載のインプラント（１）。
【請求項５】
首部（２）が０．５と２．５ｍｍの間の高さ（ｈ１）を有することを特徴とする請求項１に記載のインプラント（１）。
【請求項６】
前記非回転領域（６）が前記上面（７）から測定して０．７と２ｍｍの間の深さ（ｈ２）を有することを特徴とする請求項１に記載のインプラント（１）。
【請求項７】
前記非回転不要領域（８）が前記上面（７）から測定して１．３と３ｍｍの間の深さ（ｈ３）を有することを特徴とする請求項１に記載のインプラント（１）。
【請求項８】
前記ねじ領域（９）が前記上面（７）から測定して３．５と７．５ｍｍの間の深さ（ｈ４）を有し、１．１と２．５ｍｍの間の直径を与えることを特徴とする請求項１に記載のインプラント（１）。
【請求項９】
前記非回転構成要素（２０）が等しいことを特徴とする請求項１に記載のインプラント（１）。
【請求項１０】
前記非回転領域（６）が４個の非回転要素（２０）を有することを特徴とする請求項１に記載のインプラント（１）。
【請求項１１】
前記非回転構成要素（２０）が５個の円弧（２１、２２、２３、２４、２５）を有することを特徴とする請求項１に記載のインプラント（１）。
【請求項１２】
前記端部円弧（２１、２５）が前記縦軸（５）に中心があることを特徴とする請求項１１に記載のインプラント（１）。
【請求項１３】
前記円弧（２２、２４）の前記半径（Ｒ２）と前記端部円弧（２１、２５）の前記半径（Ｒ１）の間の比が１：２と１：３の間にあり、前記中央部円弧（２３）の前記半径（Ｒ３）と前記端部円弧（２１、２５）の前記半径（Ｒ１）間の比が３：１と４：１の間にあることを特徴とする請求項１２に記載のインプラント（１）。
【請求項１４】
前記半径（Ｒ１）が２．５と４ｍｍの間に含まれることを特徴とする請求項１３に記載のインプラント（１）。
【請求項１５】
縦軸（１５）に沿って形成され、インプラント（１）の上面（７）に支持されるべき接触面（１７）がその上部に設けられているピース（１１）において、
前記ピース（１１）が非回転領域（１６）と、非回転不要領域（１８）とを備え、
前記非回転領域（１６）が１組の非回転構成要素（２０’）を有し、各非回転構成要素（２０’）が互いに接しそれぞれの半径（Ｒ１’、Ｒ２’、Ｒ３’）によって確定される１組の円弧（２１’、２２’、２３’、２４’、２５’）を有し、前記縦軸（１５）への前記非回転構成要素（２０’）の最近点（２６’）が前記非回転構成要素（２０’）及び前記非回転領域（１６）の最小直径（ｄ’）を確定することを特徴とするピース（１１）。
【請求項１６】
前記非回転不要領域（１８）が、円筒形領域（１８）の直径が前記非回転領域（１６）の前記最小直径（ｄ’）より小さいか又は等しい状態で前記非回転領域（１６）に内接させられる円筒形領域であることを特徴とする請求項１５に記載のピース（１１）。
【請求項１７】
前記非回転不要領域（１８）が面取り領域（１２）で終わることを特徴とする請求項１５に記載のピース（１１）。
【請求項１８】
前記非回転不要領域（１６）が面取り領域（１０）で終わることを特徴とする請求項１５に記載のピース（１１）。
【請求項１９】
前記面取り領域（１０）が前記縦軸（１５）に対して３０°と６０°の間のこう配を与えることを特徴とする請求項１８に記載のピース（１１）。
【請求項２０】
前記非回転不要領域（１６）が前記接触面（１７）から測定して０．２と２ｍｍの間の深さ（ｈ１２）を有することを特徴とする請求項１５に記載のピース（１１）。
【請求項２１】
前記非回転構成要素（２０）が等しいことを特徴とする請求項１５に記載のピース（１１）。
【請求項２２】
前記非回転領域（６）が４個の非回転要素（２０）を有することを特徴とする請求項１５に記載のピース（１１）。
【請求項２３】
前記非回転構成要素（２０’）が５個の円弧（２１’、２２’、２３’、２４’、２５’）を有することを特徴とする請求項１５に記載のピース（１１）。
【請求項２４】
前記端部円弧（２１’、２５’）が前記縦軸（５）に中心があることを特徴とする請求項２３に記載のピース（１１）。
【請求項２５】
前記円弧（２２’、２４’）の前記半径（Ｒ２’）と前記端部円弧（２１’、２５’）の前記半径（Ｒ１’）の間の比が１：２と１：３の間にあり、前記中央部円弧（２３’）の前記半径（Ｒ３’）と前記端部円弧（２１’、２５’）の前記半径（Ｒ１’）の間の比が１：１と１．５：１の間にあることを特徴とする請求項２４に記載のピース（１１）。
【請求項２６】
前記半径（Ｒ１’）が２．５と４ｍｍの間に含まれることを特徴とする請求項２５に記載のピース（１１）。
【請求項２７】
インプラント（１）及びピース（１１）のユニットにおいて、
前記ユニットが、非回転領域（６）が設けられ縦軸（５）に沿って配置されたインプラント（１）と、非回転領域（１６）が設けられたピース（１１）とを備えることを特徴とし、前記インプラント（１）及び前記ピース（１１）がともに組み立てられ、前記組立てが両方の非回転領域（６、１６）の間の連結を有し、前記連結の隙間（２９）及び接触領域（３０）を与え、前記接触領域（３０）から前記縦軸（５）の距離が前記隙間（２９）から前記縦軸（５）の距離より大きいことを特徴とするインプラント（１）及びピース（１１）のユニット。
【請求項２８】
縦軸（１５）に沿って形成されインプラント（１）に連結されるべきピース（１１）において、
前記ピース（１１）が、請求項１から１４までのいずれか一項に記載のインプラント（１）の最小直径（ｄ）より小さいか又は等しい直径の非回転不要領域（１８）を備え、非回転領域（１６）を備えないことを特徴とするピース（１１）。
【発明の詳細な説明】
【技術分野】
【０００１】
本発明は、歯科インプラントと、補綴／歯科補綴学の要素、或いは概して歯科インプラントに連結されるべきすべての部品ないしピースの間との連結に関し、前記連結はインプラントの内部で行われていて、「内部連結」として知られるタイプである。
【背景技術】
【０００２】
基本的には、歯科インプラントは、患者の上顎骨の中に挿入され、補綴要素がそこに連結される特定の生化学的特性を備えた外科用ピースであり、前記補綴要素は１個又は複数個の人工の歯科ピースを支持するピースである。このインプラントの挿入処置は、患者の上顎骨の中での歯槽の初期の生成、それに続くインプラントの挿入、上顎骨でのインプラントのオッセオインテグレーション（ｏｓｓｅｏｉｎｔｅｇｒａｔｉｏｎ：インプラントと骨との結合）のための具体的な時間を伴う任意選択の待機、歯科インプラントへの連結による補綴要素の最終的取付け、そしてそれに続く補綴要素を歯科インプラントに連結するねじの連結によって要約されることができるのであるが、複雑である。
【０００３】
この最後の工程に関して、従来技術には、インプラントと補綴要素の間の連結の複数のタイプの構成が含まれ、そこで「連結」は、組み立てられ互いに連結される必要のあるインプラント及び補綴要素の部品の構成として理解される。一般的に言えば、このインプラント及び補綴要素の連結は様々な要求を満足させる必要があり、その主要な要求は、前記連結が実質的に無限の存続期間を与えること、すなわちこの連結の堅牢性が患者の一生涯を通じて補綴要素又は歯の使用の間に低下されないことである。この要求は、恒常性の変化、或いはインプラントを取り囲むペリ・インプラント骨組織又は骨組織の物理的な置換（患者の一生涯を通じての正常な生化学的プロセス）により、インプラントの１部品に特に荷重がかかり過ぎてインプラント及び上顎骨の間の連結が場合により劣化することがないように補綴要素がさらされる力又は荷重の分布がインプラントに沿ってずっと可能な限り均一である必要があるなどの、他のより具体的な要求に言い換えられる。一生涯を通じてオッセオインテグレーションされるインプラントの維持は、インプラントがさらされる応力及び荷重によって決まる機械的要因によって条件付けられ、この応力及び荷重は骨組織に伝達されて前記組織のカルシウム沈着又は安定性に影響を与えることがある。
【０００４】
インプラントはまた、トランスポータ（患者の口に歯科インプラントを移送又は移動させ、患者の上顎骨の中に歯科インプラントを挿入し装着するために用いられるピース）又は他のタイプの歯科補綴学の要素など別のタイプのピースに連結されることができる必要がある。これら連結は、それら自体の要求を満足させる必要がある。これら要求の例は、インプラントとトランスポータの間の連結に関する限り、トランスポータとインプラントの間の最大回転トルクを伝達する能力に関係する。（トランスポータは、インプラントが患者の骨の中に装着されることを可能にし、その結果、インプラントの可塑性の変形を引き起こすことなしにインプラントの装着を容易にするためにトランスポータとインプラントの間の連結で回転トルクの伝達と同じ大きさが必要であることに留意されたい。）
【０００５】
歯科インプラントと、補綴／歯科補綴学の要素又は概してインプラントに連結されるべきすべてのピースとの間には、２つの相異なったタイプの連結、外部連結及び内部連結がある。外部連結は、インプラントとピースの間の組立区域がインプラントの外側に位置している連結であり、すなわちこのインプラントはおす型の特徴を示し、このピースはめす型の特徴を示す。対照的に、内部連結では、連結区域がインプラントの内側に位置し、その結果、このインプラントはめす型ピースであると考えられることができ、インプラントに連結されるべきピースはおす型ピースであると考えられることができる。
【０００６】
どのような方法でこの内部連結が、インプラントと補綴要素の間の連結の場合に補綴要素とインプラントの間の弛緩の可能性を最小限に抑え、過負荷のとき応力の分布を改善し、インプラント／補綴要素ユニットの安定性をより増大させることを可能にすることなどの外部連結に対する特定の利点を与えるかがこれまで論証されてきた。さらに、内部連結の場合のインプラントは、外部連結の場合のインプラントより高さの低い頭部を与えることができるので、インプラントが埋設方法で患者の上顎骨の中に挿入されるアプリケーションにより適し、この埋設方法では、インプラントは、オッセオインテグレーションの間、歯肉の下に隠される。さらに、めす型要素の中におす型要素を配置し取り付けることが反対のプロセスを実施するより容易であるので、内部連結は補綴要素の挿入を容易にする。
【０００７】
従来技術には、歯科インプラントと、補綴／歯科補綴学の要素又は概して歯科インプラントに連結されるべきすべてのピースとの間の多数のタイプの内部連結の構成が含まれる。本発明は前記構成に代わるものである。
【発明の開示】
【発明が解決しようとする課題】
【０００８】
本発明の目的は、歯科インプラントと、補綴／歯科補綴学の要素又は概してインプラントに連結されるべきすべてのピースとを提供することであり、そこでこのインプラント及びピースは、内部連結、すなわちそこでピースがおす型要素として機能し、歯科インプラントがめす型要素として機能する連結によって互いに連結されることができる。本発明の内部連結により、高強度が保証され、同時に歯科インプラント及びこの歯科インプラントに連結されるべきピースの製造可能性又は費用が妥協せずに解決される。
【課題を解決するための手段】
【０００９】
主として、インプラントとピースの間の内部連結は、非回転部分と、円筒形部分とを備える。この非回転部分は、一続きの機能及び要求をすべて満足させる必要がある。まず第１に、その主要な機能は、ピースが歯科インプラントに対して回転することを防止することである。さらに、ピースが補綴要素の場合、この非回転部分は、補綴要素の挿入段階の間、インプラントの抵抗力を保証し、補綴要素の配置及び挿入を容易にし、歯科インプラント上の補綴要素の組立てを容易にするために案内させる必要がある。さらに、ピースがトランスポータである場合、この非回転部分は、インプラントに恒久的変形を引き起こすことなくインプラントを挿入するために必要なトルクを伝達する能力を有する必要がある。
【００１０】
本発明の内部連結では、この非回転部分は、互いに接する円弧に基づく幾何学的配置で形成される。この非回転部分の幾何学的配置は、本発明の詳細説明で理解できるように上述の要求を満足させる。さらに、この非回転部分は、接弧に基づいており、したがって丸い形状だけを用いているので、非回転部分の特有な点、ひいてはインプラント及びこのインプラントへ連結されるピースの特有な点での応力蓄積を防止する。
【００１１】
さらに、この接弧の幾何学的配置は、ピースとインプラントの間の隙間又はギャップを制御するようなものであり、ピース及びインプラントの非回転区域の接触の点は、この幾何学的配置の中心、或いはインプラント及びこの部品の縦軸から可能な限り離れて形成され（そこで前記軸はピースの回転の軸を構成する）、それによって接触がインプラント及びピースの縦軸により近い点で起こる非回転部分の周知の構成に対してピースからインプラントへの回転トルクの伝達能力を増加させる。
【００１２】
上述の連結が設けられた歯科インプラントの具体的な実施例に関して、前記歯科インプラントは、ねじの連結用のねじ区域に加えて、上述の内部連結の非回転部分及び円筒形部分を形成するために非回転区域及び円筒形区域を有する止まり穴を備える。前記止まり穴は補綴要素の挿入を容易にする円錐入口を与える。
【００１３】
さらに、この歯科インプラントは、好ましくは円錐のねじ区域に任意選択で仕上げられた円筒形の形で首部を与える。この円錐のねじ区域は、手術の第１の段階（患者の上顎骨の中へのインプラントへの挿入）の間、インプラントが骨の中に導入されるとインプラントと骨の間の摩擦が増加するのでインプラントの安定性を改善する。インプラントと骨の間の接触の領域は、好ましくは前記表面の酸腐食など物理的／化学的処理によってこの区域で増加される。任意選択的には、これは、オステオインダクティブ（ｏｓｔｅｏｉｎｄｕｃｔｉｖｅ）及びオステオコンダクティブ（ｏｓｔｅｏｃｏｎｄｕｃｔｉｖｅ）な特性を備える配合物（ＷＯ００４４３１４Ａ１に記載された成長因子の中に富むプラスマ（ｐｌａｓｍａ）など）で被覆され、それに基づいてインプラントのオッセオインテグレーションは加速され改善される。
【００１４】
歯科インプラントの寸法は、過大なインプラントをもたらすことなく最適な強度を与えるために計算される。前記寸法は、図の説明で詳述される。
【００１５】
本発明の歯科インプラントに連結されるべきピースはまた、上述の内部連結の非回転部分及び円筒形部分を形成するために非回転領域及び円筒形領域を与える。非回転領域及び円筒形領域の両方は、歯科インプラントの止まり穴の中で前記ピースの挿入を容易にするために面取り端部を与える。
【００１６】
本発明の詳細は、添付された図面で理解されることができ、これら図面は本発明の範囲を限定することを目的としていない。
【実施例】
【００１７】
図１は、本発明による歯科インプラント（１）の好ましい実施例の部分横断立面図である。歯科インプラント（１）は、すべての歯科インプラントのように、基本的に縦軸（５）に一致して延ばされ、上面（７）によって上部で終わらされるピースである。歯科インプラント（１）の主要部分は、患者の上顎骨に固定されるべきねじ本体（２７）である。
【００１８】
上部では、歯科インプラント（１）は、ねじ円錐領域（１９）で上面（７）の反対側の領域で終わらされる状態で円筒形の首部（２）を備え、その結果ねじ本体（２７）は前記ねじ円錐領域（１９）の形で円錐の部分で始まるようになる。首部（２）は、好ましくは０．５と２．５ｍｍの間の高さ（ｈ１）を有する。
【００１９】
さらに、歯科インプラント（１）は、歯科インプラント（１）と、補綴／歯科補綴学の要素、すなわちインプラントに連結されるべきピースとの間の内部連結の領域を構成する止まり穴（３）を与える。前記止まり穴（３）は、上面（７）から開き、円錐入口（４）と、非回転領域（６）と、円筒形領域（８）と、ねじ領域（９）とを有する。
【００２０】
円錐入口（４）は、歯科インプラント（１）の止まり穴（３）中への導入を容易にする。前記円錐入口（３）は、縦軸（５）に対して好ましくは３０°と６０°の間のこう配を与える。
【００２１】
円筒形領域（８）は、横向き荷重を分布させ、ピースの挿入を案内する歯科インプラント（１）を強化する。この円筒形領域（８）の深さ（ｈ３）は、歯科インプラント（１）がさらされる荷重を支持するために歯科インプラント（１）の壁に十分な材料を保証する最大量である必要がある。この目的のために、円筒形領域（８）は、上面（７）から測定して好ましくは１．３と３ｍｍの間の深さ（ｈ３）を有する。
【００２２】
ねじ領域（９）は、ピースに歯科インプラント（１）を連結するねじの連結領域を実現する。このねじ領域（９）の直径は、歯科インプラント（１）の壁の厚さの増加及び歯科インプラント（１）の強度の増加を保証するために小さくされる必要があり、同時に前記ねじが耐える必要のある力の面でねじの完全性を助けるために大きくされる必要がある。これを達成するためには、本発明は、それによってこれら２つの反対の基準が十分に満足される妥協解決手段として、好ましくは１．１と２．５ｍｍの間のねじ領域（９）の直径を意図する。
【００２３】
概して、非回転領域（６）は、上面（７）から測定して好ましくは０．７と２ｍｍの間の深さ（ｈ２）を有する。これら寸法によって、非回転領域（６）は、それが正確な非回転作用を与えるには十分に深いが、同時にそれがねじ本体（２７）に達するには十分には深くはなく、問題なことにはインプラントの壁の厚さを薄くさせる。同時に、ねじ領域（９）は、上面（７）から測定して３．５と７．５ｍｍの間の深さ（ｈ４）を有することが好ましい。これら寸法により、インプラントと、歯科インプラント及びピースを連結するねじとの間の連結が確実に適切な連結であるようにねじ領域（９）の十分な数のねじ山を確保する。
【００２４】
歯科インプラント（１）の上面（７）は、歯科インプラント（１）と連結されるべきピースとの正確な連結を確実にするために完全に平坦である。止まり穴（３）の範囲及び歯科インプラント（１）の首部（２）の直径によって範囲が定められたこの上面（７）のサイズは、歯科インプラント（１）とピースの間の連結が恒久的に変形されることなしに垂直方向荷重に確実に耐えることができるように十分な大きさが必要である。
【００２５】
図２は歯科インプラント（１）の上面図であり、その中に上面（７）、円錐入口（４）、非回転領域（６）、及び円筒形領域（８）を見ることができる。非回転領域（６）は、この好ましい実施例で合計４個の小葉（２８）を与える。非回転領域（６）の特定の形状は、後の図で詳述される。しかしながら、図の中で円筒形領域（８）は、直径が非回転領域（６）の最小直径（Ｄ）と実質的に同じ状態で非回転領域（６）の中に内接させられていることが理解されよう。
【００２６】
図３は、本発明の歯科インプラント（１）に連結されるべきピース（１１）の実施例の横断立面図であり、この場合前記ピース（１１）が補綴要素（１１）である。基本的には、大部分の補綴要素のように補綴要素（１１）は縦軸（１５）に一致して延ばされており、歯科インプラント（１）に補綴要素（１１）を連結するねじを挿入するために中央貫通穴（１３）が設けられている。前記中央貫通穴（１３）は、その上に上述のねじの頭部が置かれる支持領域（１４）を有する。
【００２７】
補綴要素（１１）には、歯科インプラント（１）の上面（７）で支持されるようなされた接触面（１７）が設けられている。前記接触面（１７）は、歯科インプラント（１）を確実に正確に閉鎖するために完全に平坦である必要がある。
【００２８】
前記接触面（１７）からは非回転領域（１６）が突出し、この非回転領域（１６）は同様に面取り領域（１０）で終わる。前記面取り領域（１０）は、両方の非回転領域（１６、６）が組立ての間正確に方向付けられるまで、補綴要素（１１）と歯科インプラント（１）の間で起こる接触を和らげる。
【００２９】
面取り領域（１０）に続いて、補綴要素（１１）は、前記面取り領域（１０）から突出し、第２の面取り領域（１２）で終わる円筒形領域（１８）を有する。この第２の面取り領域（１２）は、円筒形領域（１８）が歯科インプラント（１）の円錐入口（４）の中に入ることを容易にする。
【００３０】
円筒形領域（１８）は、補綴要素（１１）が歯科インプラント（１）の止まり穴（３）の中に入ることを容易にする。したがって、導入の第１段階で、円筒形領域（１８）を歯科インプラント（１）の非回転領域（６）の中に入れることは容易である。さらに、円筒形区域（１８）は、患者の口の中に既に埋設されている歯科インプラント（１）及び補綴要素（１１）よって形成されたユニットによって受ける荷重の一部分を吸収し、それによって荷重が非回転領域（６）の上にかかることを防止し、歯科インプラント（１）上に応力をより均一に分布させる。
【００３１】
面取り領域（１０）は、縦軸（１５）に対して好ましくは３０°と６０°の間のこう配を与える。非回転領域（１６）は接触面（１７）から測定してこの好ましくは０．２と２ｍｍの間の深さ（ｈ１２）を有する。非回転領域（１６）のこれら深さは、横向き荷重の面で前記非回転領域（１６）の作用能力を保証する。
【００３２】
図４は、本発明の補綴要素（１１）の下面図である。非回転領域（１６）は、この実施例で合計４個の小葉（２８’）を与える。非回転領域（１６）の特定の形状は、以下の図で詳述される。
【００３３】
歯科インプラント（１）の非回転領域（６）及び補綴要素（１１）の非回転領域（１６）の両方は、好ましくは対称の外形、すなわち特定の周期性又は繰返しを与える外形で作製される。図の歯科インプラント（１）及び補綴要素（１１）の場合、非回転領域（６、１６）は、外周が完成するまで毎回９０°回転させられる合計４回の非回転構成要素（２０、２０’）の繰返しから構成される。より多い数又はより少ない数の非回転構成要素（２０、２０’）の繰返しを備えた本発明の他の実施例が意図され、より多い数又はより少ない数の小葉（２８、２８’）をもたらす。
【００３４】
図５は、歯科インプラント（１）の非回転領域（６）の非回転構成要素（２０）を示す。非回転構成要素（２０）は、この場合、互いに接しそれぞれの半径（Ｒ１、Ｒ２、Ｒ３）で確定される合計５個の円弧（２１、２２、２３、２４、２５）を有し、その中で非回転構成要素（２０）の縦軸（５）への最近点（２６）が非回転構成要素（２０）及び非回転領域（６）の最小直径（ｄ）を確定する。上述のように、円筒形領域（８）は非回転領域（６）に内接させられ、その直径はこの最小直径（ｄ）と一致することが好ましい。
【００３５】
この図の実施例では、非回転構成要素（２０）の端部円弧（２１、２５）の中心は縦軸（５）に位置している。さらに、円弧（２２、２４）の半径（Ｒ２）と端部円弧（２１、２５）の半径（Ｒ１）の間の比は１：２と１：３の間にあり、中央部円弧（２３）の半径（Ｒ３）と端部円弧（２１、２５）の半径（Ｒ１）の比は、３：１と４：１の間にある。
【００３６】
図６は、補綴要素（１１）の非回転領域（１６）の非回転構成要素（２０’）を示す。非回転構成要素（２０’）は、この場合、互いに接しそれぞれの半径（Ｒ１’、Ｒ２’、Ｒ３’）で確定される合計５個の円弧（２１’、２２’、２３’、２４’、２５’）を有し、その中で非回転構成要素（２０’）の縦軸（１５）への最近点（２６’）が、非回転構成要素（２０’）及び非回転領域（１６）の最小直径（ｄ’）を確定する。円筒形領域（１８）は、非回転領域（１６）に内接させられ、その直径が最小直径（ｄ’）と一致することが好ましい。
【００３７】
この図の実施例では、非回転構成要素（２０’）の端部円弧（２１’、２５’）の中心が縦軸（１５）上に位置している。さらに、円弧（２２’、２４’）の半径（Ｒ２’）と端部円弧（２１’、２５’）の半径（Ｒ１’）の間の比は１：２と１：３の間にあり、中央部円弧（２３’）の半径（Ｒ３’）と端部円弧（２１’、２５’）の半径（Ｒ１’）との比は１：１と１．５：１の間にある。
【００３８】
非回転構成要素（２０、２０’）の相異なった実施例は、５個以外の円弧（２１、２２、２３、２４、２５、２１’、２２’、２３’、２４’、２５’）の数で意図され、これにより変動可能な合計数の小葉（２８、２８’）をもたらす。
【００３９】
図７は、歯科インプラント（１）の非回転領域（６）とピース（１１）の非回転領域（１６）の間の連結から生ずる非回転部分を示す。理解できるように、非回転領域（６）の半径（Ｒ３、Ｒ１）の間及び非回転領域（１６）の半径（Ｒ３’、Ｒ１’）の間で異なる比は、１組の隙間（２９）の出現を可能にし、その結果、歯科インプラント（１）とピース（１１）の間の接触領域（３０）が、非回転部分がそのようなものとして作用することが防止されることなく縦軸（５）から実質的に可能な限り離れる。このように、ピース（１１）と歯科インプラント（１）の間のトルクの伝達能力が増加され、ピース（１１）がトランスポータ（１）であるとき、これは興味深い効果である。
【００４０】
半径（Ｒ１、Ｒ１’）は、２．５と４ｍｍの間に含まれることが好ましく、この寸法により、妥協解決手段が、接触領域（３０）から縦軸（５）の距離を増加させ、それによってトルクの伝達能力を増加させるために大きな半径（Ｒ１、Ｒ’）を有すという利益と、インプラント（１）と補綴要素（１１）の間の連結が力又は横向き荷重に耐えることができるように上面（７）が大きいように小さくされた半径（Ｒ１、Ｒ１’）を有するという利益との間に至ることが可能になる。
【００４１】
図８Ａ及び図８Ｂは、前の図で詳述した本発明の歯科インプラント（１）の２つの斜視図である。図８Ａは、前の図で詳述した要素が特に明らかな上面（７）から始まる止まり穴（３）の中に含まれる状態の多数の要素を示す。したがって、どのような方法で前記止まり穴（３）が円錐入口（４）によってその最上部分で始まり、非回転領域（６）、円筒形領域（８）及びねじ領域（９）で続くかが理解されよう。非回転領域（６）は、４個の等しい非回転構成要素（２０）から構成され、それら非回転構成要素（２０）のそれぞれが互いに接する５個の円弧（２１、２２、２３、２４、２５）によって形成される。円筒形領域（８）は非回転領域（６）に内接させられる。図８Ｂは、このインプラントの外部をより明らかに示し、本発明のインプラントの首部（２）、歯科インプラント（１）全体に特有なねじ本体（２７）、及び円錐ねじ領域（１９）を詳述する。
【００４２】
図９は本発明の補綴要素（１１）の斜視図である。この図は、どのように接触面（１７）から歯科インプラント（１）の止まり穴（３）の中に収容されるべき要素が始まり、非回転領域（１６）が面取り部（１０）で終わらされ、円筒形領域（１８）が面取り領域（１２）で終わらされるかを示す。どのように非回転領域（１６）は様々な非回転構成要素（２０’）を有しているか、および各非回転構成要素（２０’）が互いに接する５個の円弧（２１’、２２’、２３’、２４’、２５’）からできていることが理解されよう。
【００４３】
非回転部品（１６）の中央部円弧（２３’）に対応する凹形部分が円筒形領域（１８）の深さ全体に沿って延ばされていることが注目されるべきである。これはこのピースの加工を容易にする。
【００４４】
図８Ａ、図８Ｂ、及び図９を分析することによって、本発明の内部連結のさらなる利点が理解されよう。すなわち、この利点は、円筒形領域（８、１８）が非回転領域（６、１６）に内接させられ、それによって歯科インプラント（１）の中への補綴要素（１１）の挿入の間、補綴要素（１１）の円筒形領域（８）が歯科インプラント（１）の非回転領域（１８）の中に導入されるとすぐに案内が形成されることが実現することである。
【００４５】
さらに、図９のピース（１１）に関して、非回転領域（１６）は設けられていないが、非回転領域（６）が設けられた歯科インプラント（１）と互換性のあるピース（１１）の実施例が、また意図されていることが指摘されるべきである。このタイプのピース（１１）の実施例は、経上皮（１個又は２個の歯科インプラントに複数の義歯を連結することが可能で、この目的のために歯科インプラントと、複数の歯科ピースを支持する補綴要素との間のアダプタとして作用するピース）である。これらのタイプのピース（１１）は、患者の口の中で複数の歯科ピースを支持するブリッジの挿入を可能にし、インプラントの別のインプラントに対する相対的な位置に留意し、同時にブリッジの挿入を容易にする必要がある。したがって、このタイプのピースは、接触面（１７）からの非回転不要領域（１８）だけを有する。
【００４６】
本発明の内部連結は、広範囲にわたって変わるサイズの歯科インプラント（１）及びピース（１１）に対して有効であるような作用を与える。したがって、その適用例は、７と３５ｍｍの間の長さ（そして他の長ささえ）の歯科インプラント（１）、３．３と７ｍｍの間の直径（そして他の直径さえ）のねじ本体（２７）、及び３．５と６．５ｍｍの間の直径（そして他の直径さえ）の上面（７）が想定されている。さらに、相異なったサイズのインプラント（１）及びピース（１１）で作製された歯科インプラント（１）及びピース（１１）の単一のユニット又は群に対して、これらのすべて（１、１１）によって与えられる内部連結が、すべての歯科インプラント（１）とすべてのピース（１１）の間で互換性を実現するために同じサイズであることが想定される。
【００４７】
本発明はまた、歯科インプラントのすべての構成でのすべての規模又は寸法の内部連結の実施例、及び歯科に限らない他のタイプのインプラント又はピースへの内部連結の適用例さえ意図している。
【図面の簡単な説明】
【００４８】
【図１】本発明による歯科インプラントの実施例の部分横断立面図である。
【図２】図１の歯科インプラントの上面図である。
【図３】本発明による補綴要素の実施例の横断立面図である。
【図４】図３の補綴要素の下面図である。
【図５】図１のインプラントの非回転領域の非回転要素の部分図である。
【図６】図３の補綴要素の非回転領域の非回転要素の部分図である。
【図７】前の図の歯科インプラント及び補綴要素の非回転区域の重合せ又は連結を示す図である。
【図８Ａ】前の図の歯科インプラントの斜視図である。
【図８Ｂ】前の図の歯科インプラントの斜視図である。
【図９】前の図の補綴要素の斜視図である。
【図１】
2009501552.tif 000003
【図２】
2009501552.tif 000004
【図３】
2009501552.tif 000005
【図４】
2009501552.tif 000006
【図５】
2009501552.tif 000007
【図６】
2009501552.tif 000008
【図７】
2009501552.tif 000009
【図８Ａ】
2009501552.tif 000010
【図８Ｂ】
2009501552.tif 000011
【図９】
2009501552.tif 000012
【国際調査報告】
2009501552.tif 000013
2009501552.tif 000014
2009501552.tif 000015